(57)【要約】【課題】観察像と撮影画像の相違を減少できるとともに、良好な画質の観察像を得ることが可能な眼科装置を提供する。【解決手段】被検眼３の所定点Ｘにスリット光が照射され、そのスリット像が対物レンズ２３、２３’により結像され、左眼用及び右眼用接眼光学系を介して検者により観察される。対物レンズと所定点間の空間で左眼用接眼光学系の有効径中心と右眼用接眼光学系の有効径中心の間に反射部材４１が配置され、この反射部材を介してスリット像がＣＣＤカメラ４５に導かれる。このような構成では、左眼用観察光路と右眼用観察光路の間に、スリット像をＣＣＤカメラに導く反射部材が配置されるので、観察像と撮影画像との差が殆どなくなり、また劣化のない観察像を観察することが可能となる。【選択図】  図２
2004167028.tif 000002
【特許請求の範囲】
【請求項１】
被検眼の所定点にスリット光を照射する照射光学系と、
スリット光で照射された被検眼の所定点の対物レンズによる結像を左右それぞれの目で観察するための左眼用及び右眼用接眼光学系を備えた観察光学系と、
前記対物レンズと前記所定点間の空間で左眼用接眼光学系の有効径中心と右眼用接眼光学系の有効径中心の間に配置された光学素子と、
前記光学素子を介して導かれる前記所定点の像を撮像する撮像装置と、
を有することを特徴とする眼科装置。
【請求項２】
眼科装置は第１のユニットと、この第１のユニットに着脱自在に取り付けられる第２のユニットを有し、前記対物レンズと左眼用及び右眼用接眼光学系は第１のユニットに配置され、前記光学素子と撮像装置は第２のユニットに配置されることを特徴とする請求項１に記載の眼科装置。
【請求項３】
被検眼の所定点との位置関係を安定させるために第２のユニットに被検者の額に当接する額当て部が設けらることを特徴とする請求項２に記載の眼科装置。
【請求項４】
前記額当て部を被検者方向へ付勢する付勢手段が設けられることを特徴とする請求項３に記載の眼科装置。
【請求項５】
前記対物レンズは、像倍率を変化させるために光軸に沿って移動できるように構成されており、第２のユニットを第１のユニットに取り付けたとき、前記対物レンズの移動が阻止されることを特徴とする請求項２から４のいずれか１項に記載の眼科装置。
【請求項６】
前記第１のユニットには、検者が手で保持するためのグリップ部が設けられていることを特徴とする請求項２から５のいずれか１項に記載の眼科装置。
【請求項７】
前記第１のユニットには、スリット光用光源に給電するための電源が内蔵されていることを特徴とする請求項２から６のいずれか１項に記載の眼科装置。
【請求項８】
前記電源が充電可能な電源であることを特徴とする請求項７に記載の眼科装置。
【請求項９】
前記電源により撮像装置に給電が行われることを特徴とする請求項７又は８に記載の眼科装置。
【請求項１０】
前記撮像装置で撮像された画像が、第２のユニットに内蔵された記録装置に記録されることを特徴とする請求項２から９のいずれか１項に記載の眼科装置。
【請求項１１】
前記撮像装置で撮像された画像が、第２のユニットに接続可能な記録装置に記録されることを特徴とする請求項２から９のいずれか１項に記載の眼科装置。
【請求項１２】
前記撮像装置を作動させるためのスイッチが前記グリップ部に設けられることを特徴とする請求項６から１１のいずれか１項に記載の眼科装置。
【請求項１３】
前記対物レンズは、第２のユニットに配置される撮像装置の撮像面のサイズに応じて決まる位置で移動が阻止されることを特徴とする請求項５に記載の眼科装置。
【発明の詳細な説明】
【０００１】
【発明の属する技術分野】
本発明は、眼科装置、さらに詳細には、被検眼の所定点にスリット光を照射する照射光学系と、スリット光で照射された被検眼の所定点を対物レンズを介して結像させ観察する観察光学系を備えた手持ち式の眼科装置に関する。
【０００２】
【従来の技術】
従来から、手持ち式の眼科装置、例えば、患者の前眼部を観察する手持ち式のスリットランプが知られている（特許文献１、２、３）。
【０００３】
また、近年電子画像で前眼部を撮像できるスリットランプが知られるようになった。
【０００４】
【特許文献１】
実開平３−２４１０７号公報（５頁１８行から８頁８行）
【特許文献２】
特開平３−１２８０３６号公報（全文）
【特許文献３】
特開平８−１６４１１４号公報（［００１０］〜［００１４］段落）
【０００５】
【発明が解決しようとする課題】
前眼部を観察する眼科装置において、前眼部観察は両眼での観察が望まれるので、観察された前眼部の像を電子的に撮像する場合、従来では、撮像光路は、接眼部分などで光路を分割することにより形成されていた。しかしながら、このような構成では、光量損失や光学部品増加による観察像の劣化があり、また観察像と撮影画像に相違が生じるという問題があった。また、この場合、対物レンズと異なる方向から撮像する方法も考えられるが、観察像と電子画像の方向が異なるため、検者が望む電子画像を得ることが困難であるという問題がある。
【０００６】
また、手持ち式スリットランプの場合、手ぶれの問題があって、良好な撮像が困難であるという問題があった。
【０００７】
従って、本発明は、このような問題点を解決するためになされたもので、観察像と撮影画像の相違を減少できるとともに、良好な画質の観察像を得ることが可能な眼科装置を提供することをその課題とする。
【０００８】
【課題を解決するための手段】
本発明は、上記課題を解決するために、
被検眼の所定点にスリット光を照射する照射光学系と、
スリット光で照射された被検眼の所定点の対物レンズによる結像を左右それぞれの目で観察するための左眼用及び右眼用接眼光学系を備えた観察光学系と、
前記対物レンズと前記所定点間の空間で左眼用接眼光学系の有効径中心と右眼用接眼光学系の有効径中心の間に配置された光学素子と、
前記光学素子を介して導かれる前記所定点の像を撮像する撮像装置と、
を有する構成を採用している。
【０００９】
本発明の眼科装置は、第１のユニットと、この第１のユニットに着脱自在に取り付けられる第２のユニットを有し、前記対物レンズと左眼用及び右眼用接眼光学系は第１のユニットに配置され、前記光学素子と撮像装置は第２のユニットに配置される。
【００１０】
このような構成では、左眼用観察光路と右眼用観察光路の間に、スリット像を撮像装置に導く光学部材が配置されるので、観察像と撮影画像との差が殆どなくなり、また劣化のない観察像を観察することが可能となる。
【００１１】
【発明の実施の形態】
以下、図面に示す実施形態に基づいて本発明を詳細に説明する。
【００１２】
図１、図２において、全体を符号１で示した手持ち式の眼科装置１は、特に被検眼の前眼部を観察するスリットランプ装置として例示されており、被検眼３の前眼部をスリット光で照射する照明光学部１０と、グリップ部３０を有し観察光学部を形成する第１のユニット２０と、この第１のユニット２０に着脱自在に取り付けられ、観察される前眼部の像を光電変換し撮像する撮像装置（ＣＣＤカメラ）４５を有した第２のユニット４０から構成されている。
【００１３】
照明光学部１０は、スリット投光部１１と、それを支える投光レンズ筒１２と、その下方に設けられたスリット機構部１３とから構成されている。スリット投光部１１内には、図２に示すように、スリット投光プリズム１４が配置されており、その下方の投光レンズ筒１２内には投光レンズ１５が配置され、さらにその下方のスリット機構部１３内には、上から順にスリット１６、集光レンズ１７、光源１８及び反射鏡１９が配設されている。上記のスリット投光プリズム１４、投光レンズ１５、スリット１６、集光レンズ１７、光源１８及び反射鏡１９は、照射光学系を構成し、公知のように、被検眼３の所定点Ｘにスリット１６によるスリット像を投光して被検眼の前眼部を照明する。
【００１４】
第１のユニット２０は、左眼用観察部２１、右眼用観察部２１’、それにスリットランプ装置を検者が手で保持するためのグリップ部３０を有している。グリップ部３０の下部にはアーム３１が取り付けられ、このアーム３１の自由端部には、支軸３２を介して照明光学部１０の下部に設けられたアーム３３が軸承されているので、照明光学部１０と第１のユニット２０は、それぞれアーム３３ないし３１を介して支軸３２を中心に互いに対して回動させることができる。
【００１５】
また、第１ユニット２０の左眼用観察部２１は、図２に示すように、対物レンズ２３と、左眼用接眼光学系で構成される観察光学系を有し、左眼用接眼光学系は、正立プリズム２４、レチクル２５と接眼レンズ２６から構成される。また、右眼用観察部２１’も、左眼用観察部２１と同様に構成され、対物レンズ２３’と、右眼用接眼光学系からなる観察光学系を有し、右眼用接眼光学系は、正立プリズム２４’、レチクル２５’と接眼レンズ２６’から構成されている。被検眼３からそれぞれ対物レンズ２３、２３’を通る光軸Ｐ１、Ｐ２は、正立プリズム２４、２４’で方向を変えられて、レチクル２５、２５’と接眼レンズ２６、２６’を通過する。それにより、スリット光で照射された被検眼３の前眼部の像は、対物レンズ２３、２３’により結像され、検者は左眼用および右眼用の接眼光学系を介して左右それぞれの目で前眼部を同時に観察することができる。なお、対物レンズ２３、２３’は、レバー２７により光軸に沿って移動できるようになっており、このレバーを操作して像倍率を変化させることができる。その場合、第２のユニット４０を第１のユニット２０に装着すると、レバー２７がロックされ対物レンズ２３、２３’の移動が防止できるようになっている。
【００１６】
第１のユニット２０のグリップ部３０は、電源収納部３７を有し、この電源収納部にはバッテリー３６からなる電源が収納されている。バッテリー３６は、図３の等価回路が示すように、グリップ部３０に設けられたスイッチ３４と抵抗Ｒ１を介して光源１８と接続されており、検者がグリップ部３０を手にもってスイッチ３４を操作すると、光源１８が点灯され、スリット１６によるスリット光が形成される。またグリップ部３０には、バッテリー３６を充電させるため端子３８が設けられており、この端子３８を介して外部電源からバッテリー３６を充電させることができる。また、バッテリー３６は、グリップ部３０に設けられたスイッチ３５と抵抗Ｒ２を介してＣＣＤカメラ４５に接続されているので、検者がこのスイッチ３５を押圧すると、ＣＣＤカメラ４５に給電することが可能となる。
【００１７】
また、スリットランプ装置の第２のユニット４０は、被検眼３からのスリット像を反射させてＣＣＤカメラ４５に導く反射部材４１と、結像レンズ４２、４３と、撮像装置として機能するＣＣＤカメラ４５を有している。反射部材４１は、ハーフミラーやプリズムなどの光学素子で構成され、対物レンズ２３（２３’）と被検眼３の所定点Ｘ間の空間において左眼用接眼光学系の有効径中心と右眼用接眼光学系の有効径中心との間（すなわち、左眼用観察光学系の光路と右眼用観察光学系の光路の間）に配置される。その場合、反射部材４１の位置によっては、対物レンズ２３、２３’による像が反射部材によりけられる（欠ける）ことがあるが、少量のときは観察像の画質に影響はない。しかし、好ましくは、像がけられることがないように、反射部材４１と対物レンズ２３、２３’の位置を調節しておく。
【００１８】
被検眼３からの光軸Ｐは、反射部材４１で斜め上方に変更され、レンズ４２、４３、ＣＣＤカメラ４５を通過するので、スリット光で照明された前眼部のスリット像は、ＣＣＤカメラ４５上に結像され、撮像される。このＣＣＤカメラ４５で撮像された画像は、ケーブル５１を介してハードディスク、フラッシュメモリなど外部の記録装置５０に記録することができる。
【００１９】
さらに、第２のユニット４０には、被検眼３の所定点Ｘとの位置関係を安定させるために、被検者の額に当接する額当て部４６が設けられており、この額当て部を被検眼の方向へ付勢する付勢手段（不図示）が第２のユニット内に設けられている。
【００２０】
次に、以上のように構成された眼科装置の動作について説明する。
【００２１】
まず、前眼部の撮像を予定している場合には、第２のユニット４０を第１のユニット２０に取り付けておく。検者はグリップ部３０を手で握り、照明用光学部のスリット投光部１１を患者の被検眼３に対向させ、スイッチ３４を操作して、光源１８を点灯させ、被検眼の所定点Ｘにスリット光を照射する。その場合、額当て部４６を患者の額に当接させて眼科装置と被検眼の位置を安定させておく。
【００２２】
次に、照明光学部１０の下部に設けられたアーム３３と、グリップ部３０の下部に設けられたアーム３１を支軸３２を中心に互いに回動させることによって、各方向からスリット光を照射ができるようにする。この場合、スリット光で照明された被検眼の前眼部の像は、対物レンズ２３、２３’により結像され、検者は左眼用接眼光学系（２４、２５、２６）及び右眼用接眼光学系（２４’、２５’、２６’）を介して左右それぞれの目で同時観察できるようになる。
【００２３】
観察像を撮影したい場合には、グリップ部３０のスイッチ３５を操作する。その操作によりＣＣＤカメラ４５にバッテリー３６から給電が行われてＣＣＤカメラ４５が作動され、反射部材４１を経て入射する前眼部のスリット像を撮像することが可能になる。この場合、反射部材４１は、左眼用観察光学系の光路と右眼用観察光学系の光路の間、すなわち、各観察光学系の有効径中心間に配置されているので、ＣＣＤカメラ４５で撮影される画像は、検者が左右の観察光学系を介して観察される画像と殆ど差異がなくなる。また、この撮像光学系により、観察光学系が影響されることはないので、観察像の画質が劣化することはない。
【００２４】
このＣＣＤカメラ４５で撮影された画像は、記録装置５０に記録することができ、後で再生することが可能になる。また、撮影された画像を、外部の記録装置ではなく、第２のユニット内に同様な記録手段を内蔵させ、そこに記録させるようにすることもできる。このときは、ケーブル５１がなくなり、コードレスにすることができる。
【００２５】
また、撮像を予定しておらず、通常の観察だけを行う場合には、第２のユニット４０を第１のユニットから取り外す。このとき、額当て部４６も取り外されるので、通常（観察時）は、額当てがなく眼科装置を軽量なものにすることができ、一方、ビデオ撮影の時には必要な額当てが、ワンタッチ操作で取り付けられるようになり、被検眼との位置関係を安定させることができ、良質の画像を撮影することが可能となる。
【００２６】
また、撮像時のために、第２のユニット４０を第１のユニット２０に装着したとき、レバー２７にロックがかかり、対物レンズ２３（２３’）の移動ができなくなるので、撮像時不用意に観察像倍率が変化するのを防止することができ、撮影範囲と観察範囲との整合性が維持できる。
【００２７】
なお、対物レンズ２３（２３’）をレバー２７によりロックする位置（観察倍率）は、取り付けるＣＣＤカメラ４５の撮像面のサイズによって変えられる構成にしてもよい。
【００２８】
【発明の効果】
以上説明したように、本発明では、スリット光で照射された被検眼の所定点を結像させる対物レンズと該所定点間の空間で、左眼用接眼光学系の有効径中心と右眼用接眼光学系の有効径中心の間に配置された光学素子を介して導かれるスリット像を撮影することができるので、観察像と撮影画像との差が殆どなくなり、また劣化のない観察像を観察することが可能となる。
【図面の簡単な説明】
【図１】（Ａ）は、眼科装置の外観を概略示す上面図であり、（Ｂ）はその側面図である。
【図２】（Ａ）は、眼科装置の内部光学系を示す上面図であり、（Ｂ）はその側面図である。
【図３】内蔵バッテリーにより給電を行う回路構成を示した回路図である。
【符号の説明】
１０  照明光学部
１４  投光プリズム
１６  スリット
１８  光源
２０  第１のユニット
２３、２３’  対物レンズ
２６、２６’  接眼レンズ
３０  グリップ部
３４、３５  スイッチ
３６  バッテリー
４０  第２のユニット
４１  反射部材（光学素子）
４５  ＣＣＤカメラ（撮像装置）
５０  記録装置
【図１】
2004167028.tif 000003
【図２】
2004167028.tif 000004
【図３】
2004167028.tif 000005